(57)【要約】【課題】ユーザが同一のコンテンツをインターネットでより高画質で視聴できることに気付かずにテレビ放送のコンテンツを視聴してしまうことを防止することができるコンテンツ再生装置を提供する。【解決手段】テレビ放送受信機能及びインターネット接続機能を有するコンテンツ再生装置であって、テレビ放送のコンテンツを再生出力するとき、前記テレビ放送のコンテンツと同一のコンテンツであって前記テレビ放送のコンテンツよりも解像度が高いものを、インターネットを経由して取得可能なコンテンツの中から検出する検出部（ステップＳ２０の処理部）と、前記検出部が検出に成功した場合に、再生出力の対象を、前記テレビ放送のコンテンツから、前記検出部が検出したコンテンツに切り替える再生出力対象切替部（ステップＳ７０の処理部）とを備えるコンテンツ再生装置。【選択図】図２
2011087033.tif 000002
【特許請求の範囲】
【請求項１】
テレビ放送受信機能及びインターネット接続機能を有するコンテンツ再生装置において、
テレビ放送のコンテンツを再生出力するとき、前記テレビ放送のコンテンツと同一のコンテンツであって前記テレビ放送のコンテンツよりも解像度が高いものを、インターネットを経由して取得可能なコンテンツの中から検出する検出部と、
前記検出部が検出に成功した場合に、再生出力の対象を、前記テレビ放送のコンテンツから、前記検出部が検出したコンテンツに切り替える再生出力対象切替部とを備えることを特徴とするコンテンツ再生装置。
【請求項２】
前記検出部が、
前記テレビ放送のコンテンツについては、前記テレビ放送のコンテンツがデジタル放送のコンテンツである場合、前記テレビ放送の受信信号を信号処理して得られる圧縮ビデオ信号、圧縮オーディオ信号とともに多重されている制御データに含まれている解像度情報から解像度情報を取得し、
前記インターネットを経由して取得可能なコンテンツについては、アクセスしたコンテンツのデータを信号処理して得られる圧縮ビデオ信号、圧縮オーディオ信号とともに多重されている制御データに含まれている解像度情報、サービスプロバイダーから別途提供されるメタデータに含まれる解像度情報、又は予め記憶している解像度情報から解像度情報を取得することを特徴とする請求項１に記載のコンテンツ再生装置。
【請求項３】
前記検出部が、
前記テレビ放送のコンテンツについては、前記テレビ放送のコンテンツがデジタル放送のコンテンツである場合、前記テレビ放送の受信信号を信号処理して得られる圧縮ビデオ信号、圧縮オーディオ信号とともに多重されている制御データに含まれている番組タイトル情報から番組タイトル情報を取得し、
前記インターネットを経由して取得可能なコンテンツについては、アクセスしたコンテンツのデータを信号処理して得られる圧縮ビデオ信号、圧縮オーディオ信号とともに多重されている制御データに含まれているコンテンツタイトル情報又はサービスプロバイダーから別途提供されるメタデータに含まれるコンテンツタイトル情報からコンテンツタイトル情報を取得し、
番組タイトル情報を用いてコンテンツの同一性を判断することを特徴とする請求項１又は請求項２に記載のコンテンツ再生装置。
【請求項４】
前記検出部が検出に成功した場合に、再生出力の対象を、前記テレビ放送のコンテンツから、前記検出部が検出したコンテンツに切り替えることを許可するか否かを決定する切替許可部を備え、
前記切替許可部が許可しない場合には、前記検出部が検出に成功した場合であっても前記再生出力対象切替部が再生出力の対象を切り替えないことを特徴とする請求項１〜３のいずれか１項に記載のコンテンツ再生装置。
【請求項５】
前記検出部が、
前記テレビ放送のコンテンツについては、前記テレビ放送のコンテンツがアナログ放送のコンテンツである場合、予め記憶している解像度情報から解像度情報を取得することを特徴とする請求項２に記載のコンテンツ再生装置。
【請求項６】
前記検出部が、
前記テレビ放送のコンテンツについては、前記テレビ放送のコンテンツがアナログ放送のコンテンツである場合、前記テレビ放送の受信信号の垂直帰線期間に多重されているＸＤＳデータに含まれている番組タイトルから番組タイトル情報を取得する請求項３に記載のコンテンツ再生装置。
【発明の詳細な説明】
【技術分野】
【０００１】
本発明は、テレビ放送受信機能及びインターネット接続機能を有し、テレビ放送及びインターネットからのコンテンツを再生することができるコンテンツ再生装置に関する。
【背景技術】
【０００２】
テレビ放送がアナログ放送からＭＰＥＧ（Moving Picture Experts Group）圧縮を活用したデジタル放送へと移行し、さらにインターネット接続が可能であってインターネットからのコンテンツも視聴可能なテレビジョン受像機（以下、ＩＰＴＶと呼ぶ）が開発されている。
【０００３】
ＩＰＴＶでは、異なるメディアからのコンテンツを個別に扱う構成が最も簡単である。このような構成では、例えば入力モードを放送波受信モードとインターネット受信モードとで切り替えて、各々のモードにおいてモードに対応するメディア内で利用できるコンテンツしか選択できないようにするとよい。
【０００４】
一方、ユーザの使い勝手の観点からは、異なるメディアからのコンテンツを個別に扱う構成よりも異なるメディアからのコンテンツを統合化して扱う構成の方が望ましい。異なるメディアからのコンテンツを統合化して扱う構成のＩＰＴＶは、従来から種々提案されている。例えば、特許文献１において提案されているインターネットコンテンツ及びテレビ番組を画面上に選択的に表示するシステムは、ウェブページを従来のテレビ放送のチャンネルと同様な形式でグラフィカルユーザインターフェース上に表示することを特徴としている。また、特許文献２において提案されている情報表示装置は、衛星放送（ＤＳＳ）番組とウェブページとローカル（地上波）放送チャンネルとをシームレスに表示することを特徴としている。
【先行技術文献】
【特許文献】
【０００５】
【特許文献１】特表２００２−５０７３４４号公報（要約）
【特許文献２】特表２００２−５３８７３５号公報（要約）
【発明の概要】
【発明が解決しようとする課題】
【０００６】
近年のブロードバンドの普及によって、インターネットでもＨＤ（High Definition）画質のコンテンツが視聴可能となっており、テレビ放送と同一のコンテンツがインターネットでより高画質で視聴できるという状況が発生し得る。つまり、テレビ放送の一番組として放送される映画が垂直画素数４８０のＳＤ（Standard Definition）画質であるのに対して、インターネットを経由して取得することができる同一の映画が垂直画素数７２０や１０８０のＨＤ画質である場合が生じ得る。
【０００７】
従来のＩＰＴＶでは、たとえ異なるメディアからのコンテンツを統合化して扱ってチャンネルリスト中のテレビ放送チャンネルとインターネットチャンネルがシームレスに選択できる構成であったとしても、テレビ放送チャンネルとインターネットチャンネルとに同一のコンテンツがあるかどうかを知るためには、チャンネルサーフィングなどのサーチ作業が必要であった。このため、ユーザがかかるサーチ作業を怠れば、ユーザが同一のコンテンツをインターネットでより高画質で視聴できることに気付かずにテレビ放送のコンテンツを視聴してしまうおそれがある。
【０００８】
本発明は、上記の状況に鑑み、ユーザが同一のコンテンツをインターネットでより高画質で視聴できることに気付かずにテレビ放送のコンテンツを視聴してしまうことを防止することができるコンテンツ再生装置を提供することを目的とする。
【課題を解決するための手段】
【０００９】
上記目的を達成するために本発明に係るコンテンツ再生装置は、テレビ放送受信機能及びインターネット接続機能を有するコンテンツ再生装置であって、テレビ放送のコンテンツを再生出力するとき、前記テレビ放送のコンテンツと同一のコンテンツであって前記テレビ放送のコンテンツよりも解像度が高いものを、インターネットを経由して取得可能なコンテンツの中から検出する検出部と、前記検出部が検出に成功した場合に、再生出力の対象を、前記テレビ放送のコンテンツから、前記検出部が検出したコンテンツに切り替える再生出力対象切替部とを備える構成とする。
【００１０】
また、前記検出部が、前記テレビ放送のコンテンツについては、前記テレビ放送のコンテンツがデジタル放送のコンテンツである場合、前記テレビ放送の受信信号を信号処理して得られる圧縮ビデオ信号、圧縮オーディオ信号とともに多重されている制御データに含まれている解像度情報から解像度情報を取得し、前記インターネットを経由して取得可能なコンテンツについては、アクセスしたコンテンツのデータを信号処理して得られる圧縮ビデオ信号、圧縮オーディオ信号とともに多重されている制御データに含まれている解像度情報、サービスプロバイダーから別途提供されるメタデータに含まれる解像度情報、又は予め記憶している解像度情報から解像度情報を取得するようにしてもよい。
【００１１】
また、前記検出部が、前記テレビ放送のコンテンツについては、前記テレビ放送のコンテンツがデジタル放送のコンテンツである場合、前記テレビ放送の受信信号を信号処理して得られる圧縮ビデオ信号、圧縮オーディオ信号とともに多重されている制御データに含まれている番組タイトル情報から番組タイトル情報を取得し、前記インターネットを経由して取得可能なコンテンツについては、アクセスしたコンテンツのデータを信号処理して得られる圧縮ビデオ信号、圧縮オーディオ信号とともに多重されている制御データに含まれているコンテンツタイトル情報又はサービスプロバイダーから別途提供されるメタデータに含まれるコンテンツタイトル情報からコンテンツタイトル情報を取得し、番組タイトル情報を用いてコンテンツの同一性を判断するようにしてもよい。
【００１２】
また、前記検出部が検出に成功した場合に、再生出力の対象を、前記テレビ放送のコンテンツから、前記検出部が検出したコンテンツに切り替えることを許可するか否かを決定する切替許可部を備え、前記切替許可部が許可しない場合には、前記検出部が検出に成功した場合であっても前記再生出力対象切替部が再生出力の対象を切り替えないようにしてもよい。これにより、ユーザの意図に反して再生出力の対象が切り替わることを防止することができる。
【００１３】
また、前記検出部が、前記テレビ放送のコンテンツについては、前記テレビ放送のコンテンツがアナログ放送のコンテンツである場合、予め記憶している解像度情報から解像度情報を取得するようにしてもよい。
【００１４】
また、前記検出部が、前記テレビ放送のコンテンツについては、前記テレビ放送のコンテンツがアナログ放送のコンテンツである場合、前記テレビ放送の受信信号の垂直帰線期間に多重されているＸＤＳデータに含まれている番組タイトルから番組タイトル情報を取得するようにしてもよい。
【発明の効果】
【００１５】
本発明に係るコンテンツ再生装置によると、テレビ放送のコンテンツを再生出力するとき、テレビ放送のコンテンツと同一のコンテンツであってテレビ放送のコンテンツよりも解像度が高いものがインターネット上にあれば、原則として、再生出力の対象を解像度が高いものに切り替えるので、ユーザが同一のコンテンツをインターネットでより高画質で視聴できることに気付かずにテレビ放送のコンテンツを視聴してしまうことを防止することができる。
【図面の簡単な説明】
【００１６】
【図１】本発明の一実施形態に係るＩＰＴＶの概略構成例を示すブロック図である。
【図２】図１のＩＰＴＶが備えるＣＰＵ内でソフト処理される制御プロセスを示すフローチャートである。
【発明を実施するための形態】
【００１７】
本発明の実施形態について図面を参照して以下に説明する。本発明に係るコンテンツ再生装置について、ここでは、ＩＰＴＶを例に挙げて説明する。本発明の一実施形態に係るＩＰＴＶの概略構成例を図１に示す。
【００１８】
図１に示す本発明の一実施形態に係るＩＰＴＶは、北米仕様のＩＰＴＶであって、テレビ放送波入力端子１と、チューナ２と、復調回路３と、オーディオデコーダ４と、ビデオデコーダ５と、Ethernet（登録商標）入力端子６と、ＰＨＹ回路７と、ＭＡＣ回路８と、ビデオデコーダ９と、オーディオデコーダ１０と、スイッチ１１と、ビデオ後処理回路１２と、ＯＳＤ回路１３と、ディスプレイ１４と、スイッチ１５と、オーディオ後処理回路１６と、オーディオアンプ１７と、スピーカ１８及び１９と、ＣＰＵ２０とを備えている。また、図１に示す本発明の一実施形態に係るＩＰＴＶは、上記の部品以外に、リモコン送信機（不図示）から送信されるリモコン信号を受信し、そのリモコン信号を制御信号に変換してＣＰＵ２０に供給するリモコン信号受信回路（不図示）なども備えている。
【００１９】
テレビ放送波入力端子１は、地上波テレビ放送やケーブルテレビ放送などのテレビ放送波を入力して、チューナ２に供給する。テレビ放送波入力端子１が入力するテレビ放送波にはアナログチャンネルとデジタルチャンネルが含まれる。チューナ２は、ＲＦ信号フォーマットの選択チャンネルのテレビ放送波を特定周波数のＩＦ信号にダウンコンバートする。復調回路３は、チューナ２から受け取ったＩＦ信号を復調し、その復調信号をビデオ信号及びオーディオ信号に分離して出力する。
【００２０】
オーディオデコーダ４は、復調回路３から受け取ったオーディオ信号をデコード処理してベースバンドのオーディオ信号を出力する。アナログ放送の場合とデジタル放送の場合ではデコード処理の内容が異なるため、オーディオデコーダ４は、アナログ放送用のデコード回路とデジタル放送用のデコード回路の両方を内蔵する。具体的には、オーディオデコーダ４は、アナログ放送の場合には復調回路３から受け取ったオーディオ信号をステレオ音声信号として出力し、デジタル放送の場合にはDolby Digital信号をデコードしてステレオ音声信号を出力する。
【００２１】
ビデオデコーダ５は、復調回路３から受け取ったビデオ信号をデコード処理し、デコード処理されたビデオ信号を出力する。アナログ放送の場合とデジタル放送の場合ではデコード処理の内容が異なるため、ビデオデコーダ５は、オーディオデコーダ４と同様に、アナログ放送用のデコード回路とデジタル放送用のデコード回路の両方を内蔵する。具体的には、ビデオデコーダ５は、アナログ放送の場合にはＮＴＳＣ信号をデコード処理して分離された輝度（Ｙ）信号と色（Ｃ）信号を出力し、デジタル放送の場合にはＭＰＥＧ２信号をデコード処理してＹ信号とＣ信号を出力する。
【００２２】
Ethernet（登録商標）入力端子６は、インターネット１００と接続するための端子であって、インターネット１００を経由して取得することができるコンテンツを入力する。Ethernet（登録商標）入力端子６に入力されたコンテンツは、Ethernet（登録商標）の物理層を処理するためのＰＨＹ回路７を経て、Ethernet（登録商標）のＭＡＣ層を処理するためのＭＡＣ回路８において処理されたのち、圧縮ビデオ信号と圧縮オーディオ信号に分離される。
【００２３】
ビデオデコーダ９は、ＭＡＣ回路８から受け取った圧縮ビデオ信号をデコード処理してＹ信号とＣ信号を出力するための回路であって、ビデオ圧縮フォーマット（例えばＨ．２６４）に応じたデコード処理を行う。
【００２４】
オーディオデコーダ１０は、ＭＡＣ回路８から受け取った圧縮オーディオ信号をデコード処理してステレオ音声信号を出力するための回路であって、オーディオ圧縮フォーマット（例えばＭＰ３）に応じたデコード処理を行う。
【００２５】
スイッチ１１は、ビデオデコーダ５から出力されるビデオ信号（Ｙ信号、Ｃ信号）と、ビデオデコーダ９から出力されるビデオ信号（Ｙ信号、Ｃ信号）とを択一的に選択してビデオ後処理回路１２に出力する。ビデオ後処理回路１２は、スイッチ１１から受け取ったビデオ信号の画質調整やスケーリングなどの処理を行う。ＯＳＤ回路１３は、ビデオ後処理回路１２から受け取ったビデオ信号に必要に応じてＯＳＤ信号を多重してディスプレイ１４に出力する。ディスプレイ１４は、ＯＳＤ回路１３から受け取った信号に基づく画像を表示する。
【００２６】
スイッチ１５は、オーディオデコーダ４から出力されるオーディオ信号（ステレオ音声信号）と、オーディオデコーダ１０から出力されるオーディオ信号（ステレオ音声信号）とを択一的に選択してオーディオ後処理回路１６に出力する。オーディオ後処理回路１６は、スイッチ１５から受け取ったオーディオ信号の音質調整やボリューム調整を行う。オーディオアンプ１７は、オーディオ後処理回路１６から受け取ったオーディオ信号を増幅して出力する。スピーカ１８はオーディオアンプ１７から受け取った左用音声信号を音声に変換し、スピーカ１９はオーディオアンプ１７から受け取った右用音声信号を音声に変換する。
【００２７】
２つのスイッチ１１及び１５を同期させて切り替えることにより、テレビ放送からのコンテンツの視聴とインターネットからのコンテンツの視聴とを切り替えることができる。すなわち、スイッチ１１がビデオデコーダ５から出力されるビデオ信号を選択し、スイッチ１５がオーディオデコーダ４から出力されるオーディオ信号を選択した場合、テレビ放送からのコンテンツを視聴することになり、スイッチ１１がビデオデコーダ９から出力されるビデオ信号を選択し、スイッチ１５がオーディオデコーダ１０から出力されるオーディオ信号を選択した場合、インターネットからのコンテンツを視聴することになる。
【００２８】
ＣＰＵ２０は、図１に示す本発明の一実施形態に係るＩＰＴＶ全体のソフトウェア制御を行う。特に、ＣＰＵ２０は、本発明の特徴部分に関連する動作として、復調回路３、ビデオデコーダ５、ＭＡＣ回路８、及びビデオデコーダ９からコンテンツの情報を取得し、テレビ放送とインターネット１００で同一のコンテンツが存在するかどうかを検出し、テレビ放送とインターネット１００で同一のコンテンツが存在する場合にはそれぞれのビデオ解像度を確認し、ユーザが現在視聴しているテレビ放送のコンテンツと同一でより解像度の高いコンテンツがインターネット１００上にあればＯＳＤ回路１３を使ってそのことをメッセージ通知するという動作を行っている。
【００２９】
次に、テレビ放送とインターネット１００で同一のコンテンツが存在するかどうかの検出方法について説明する。前提として、テレビ放送はリアルタイムであり、インターネット１００上にあるコンテンツはオンデマンドベースであるとする。
【００３０】
図１に示す本発明の一実施形態に係るＩＰＴＶは、テレビ放送の番組視聴中に、その番組と同一のコンテンツがインターネット１００を経由して取得可能なコンテンツの中に存在するかを検索し、テレビ放送の番組の解像度よりもインターネット１００からのコンテンツの解像度の方が高くかつユーザが２つのスイッチ１１及び１５の切換を選択すれば、インターネット１００からコンテンツにアクセスしてストリーミング再生する。逆のケース、すなわちインターネット１００からのコンテンツ視聴中にそのコンテンツと同一のコンテンツであるテレビ放送の番組がタイミング良く検出されるということは稀であると思われる。このため、図１に示す本発明の一実施形態に係るＩＰＴＶでは、インターネット１００からのコンテンツ視聴中に、そのコンテンツと同一のコンテンツであるテレビ放送の番組を検索することは行っていない。
【００３１】
図１に示す本発明の一実施形態に係るＩＰＴＶは、テレビ放送の番組視聴中に、その番組と同一のコンテンツをインターネット１００を経由して取得することができるコンテンツの中から検索するときに、番組タイトルを使用する。
【００３２】
デジタル放送受信の場合、例えば北米のデジタル規格では「ＡＴＳＣ Standard: Program and System Information Protocol for Terrestrial Broadcast and Cable (Revision C) With Amendment No.1」に規定されているように、番組タイトル情報を含むテーブルデータ（ＥＩＴ: Event Information Table）がビデオデータ、オーディオデータとともにトランスポートストリームに多重されている。図１に示す本発明の一実施形態に係るＩＰＴＶでは、復調回路３は、生成したトランスポートストリームに含まれているテーブルデータから番組タイトル情報を抽出し、その番組タイトル情報をＣＰＵ２０に伝送する。
【００３３】
アナログ放送受信の場合、垂直帰線期間に多重されているＸＤＳデータ（eXtended Data Service）に、番組タイトル情報（ANSI/CEA StandardのANSI/CEA-608-Eに規定されているProgram Name）が含まれている。図１に示す本発明の一実施形態に係るＩＰＴＶでは、ビデオデコーダ５は、ＸＤＳデータから番組タイトル情報を抽出し、その番組タイトル情報をＣＰＵ２０に伝送する。
【００３４】
インターネット１００上にあるコンテンツに関しては、一般的にサービスプロバイダーのコンテンツサーバーにコンテンツタイトル情報を含むメタデータが記憶されている。図１に示す本発明の一実施形態に係るＩＰＴＶでは、メタデータがＭＡＣ回路８からＣＰＵ２０へ引き渡され、ＣＰＵ２０によって番組タイトル情報と一致するコンテンツタイトル情報があるかどうかがサーチされ、視聴中のデジタル放送の番組と同一のコンテンツがあるかどうかが検出される。
【００３５】
次に、解像度の検出方法について説明する。ここでは、説明を簡単にするため、垂直画素数のみを使用するものとする。
【００３６】
デジタル放送の場合、例えば北米のデジタル規格ではＭＰＥＧ２圧縮方式が採用されており、規格書（ISO/IEC13818-2）に規格されている通り、Sequence_headerにHorizontal_resolution（水平画素数）、Vertical_resolution（垂直画素数）が含まれている。図１に示す本発明の一実施形態に係るＩＰＴＶでは、Sequence_headerに含まれている垂直画素数の情報がビデオデコーダ５からＣＰＵ２０へ伝送され、ＣＰＵ２０はその伝送された情報を用いて垂直画素数を検出する。
【００３７】
アナログ放送の場合、垂直画素数が４８０（４８０ｉ：垂直ライン数が４８０本のインターレース方式）で固定である。図１に示す本発明の一実施形態に係るＩＰＴＶでは、ＣＰＵ２０は内蔵メモリに予め格納しているアナログ放送番組の垂直画素数を読み出してアナログ放送番組の垂直画素数を検出する。
【００３８】
インターネット１００上にあるコンテンツに関しては、垂直画素数の情報はコンテンツタイトル情報と同様にメタデータに含まれている場合もあるが、予め既知である場合もある。予め既知である場合とは、例えば、ある特定のサービスプロバイダーのコンテンツが全て共通の解像度である場合などである。図１に示す本発明の一実施形態に係るＩＰＴＶでは、垂直画素数の情報がメタデータに含まれている場合には、ＣＰＵ２０はＭＡＣ回路８から引き渡されるメタデータを用いてインターネット１００からのコンテンツの垂直画素数を検出し、インターネット１００からのコンテンツの垂直画素数が予め既知である場合には、ＣＰＵ２０は内蔵メモリに予め格納しているインターネット１００からのコンテンツの垂直画素数を読み出してインターネット１００からのコンテンツの垂直画素数を検出する。
【００３９】
次に、ＣＰＵ２０内でソフト処理される制御プロセスについて図２に示すフローチャートを参照して説明する。図１に示す本発明の一実施形態に係るＩＰＴＶの電源がオンになったとき、チューナ２での選択チャンネル（視聴チャンネル）を変更したとき、同一チャンネルにおいて番組が切り替わったとき、入力モードが放送波受信モードと他のモードを有する構成である場合には入力モード他のモードから放送波受信モードに切り替わったときに、ＣＰＵ２０は図２に示すフローチャートの処理を開始する。なお、同一チャンネルにおいて番組が切り替わったかどうかの検出には、例えばＥＰＧなどを利用すればよい。
【００４０】
図２に示すフローチャートの処理が開始されると、まず、ＣＰＵ２０は、現在視聴中のテレビ放送の番組タイトル情報を取得する（ステップＳ１０）。続くステップＳ２０において、ＣＰＵ２０は、現在視聴中のテレビ放送の番組と同一のコンテンツがインターネット１００を経由して取得可能なコンテンツの中に存在するかを検索する。
【００４１】
検索の結果、現在視聴中のテレビ放送の番組と同一のコンテンツが検出されなければ（ステップＳ２０のＮＯ）、図２に示すフローチャートの処理を終了する。一方、検索の結果、現在視聴中のテレビ放送の番組と同一のコンテンツが検出されれば（ステップＳ２０のＹＥＳ）、ステップＳ３０に移行する。
【００４２】
ステップＳ３０において、ＣＰＵ２０は、現在視聴中のテレビ放送の番組の解像度情報を取得する。続くステップＳ４０において、ＣＰＵ２０は、現在視聴中のテレビ放送の番組と同一のインターネット１００を経由して取得可能なコンテンツ（以下、インターネットコンテンツと呼ぶ。）の解像度情報を取得し、現在視聴中のテレビ放送の番組の解像度とインターネットコンテンツの解像度とを比較する。
【００４３】
比較の結果、現在視聴中のテレビ放送の番組の解像度がインターネットコンテンツの解像度以上であれば（ステップＳ４０のＮＯ）、図２に示すフローチャートの処理を終了する。一方、インターネットコンテンツの解像度の方が現在視聴中のテレビ放送の番組の解像度よりも高ければ（ステップＳ４０のＹＥＳ）、ステップＳ５０に移行する。
【００４４】
ステップＳ５０において、ＣＰＵ２０は、より解像度が高い同一のコンテンツがインターネット１００上にあることをＯＳＤ表示でユーザに通知する。ＯＳＤ表示はＣＰＵ２０からＯＳＤ回路１３へＯＳＤ表示データを送信することにより行われる。続くステップＳ６０において、ＣＰＵ２０は、ユーザがリモコン送信機（不図示）のキー操作などによってテレビ番組の視聴からインターネットコンテンツの視聴に切り替えることを許可したか否かを判定する。
【００４５】
判定の結果、所定の期間以内にユーザからの許可が無かった場合（ステップＳ６０のＮＯ）、図２に示すフローチャートの処理を終了する。一方、判定の結果、ユーザからの許可が有れば（ステップＳ６０のＹＥＳ）、ＣＰＵ２０は、テレビ番組の視聴からインターネットコンテンツの視聴に切り替えて（ステップＳ７０）、図２に示すフローチャートの処理を終了する。
【００４６】
インターネット１００を経由して取得可能なコンテンツが高解像度である場合、そのコンテンツは有料であることが多いので、テレビ番組の視聴からインターネットコンテンツの視聴へ切り替わることを望まないユーザもいる。ステップＳ５０及びステップＳ６０の処理を行うことで、ユーザの意図に反してテレビ番組の視聴からインターネットコンテンツの視聴へ切り替わることを防止することができる。
【００４７】
また、ステップＳ２０において、複数のインターネットコンテンツが検出される場合も考えられる。このような場合には、ステップＳ６０において、複数のインターネットコンテンツから一つを選択できるようにし、さらに、その選択を行う際の判断材料を提供する観点から、ステップＳ５０において、各インターネットコンテンツのサービス形態（料金情報など）も通知することが望ましい。
【００４８】
以上、本発明に係る実施形態について説明したが、本発明の範囲はこれに限定されるものではなく、発明の主旨を逸脱しない範囲で種々の変更を加えて実行することができる。変更のいくつかの例を以下に示す。
【００４９】
上述した実施形態では北米仕様のＩＰＴＶについて説明したが、北米以外の仕様のＩＰＴＶにも本発明を適用することができる。また、ＩＰＴＶ以外のコンテンツ再生装置（例えばセットトップボックス）も、テレビ放送受信機能及びインターネット接続機能を有するものであれば、本発明を適用することができる。
【００５０】
また、上述した実施形態では、図２に示すフローチャートが所定のタイミングで自動的に開始したが、図２に示すフローチャートが手動で開始するようにしてもよい。例えば、リモコン送信機（不図示）に専用キーを設け、ユーザがその専用キーを操作することで、図２に示すフローチャートが開始するようにしてもよい。
【００５１】
また、上述した実施形態では、アナログ放送もデジタル放送も受信・再生可能なＩＰＴＶについて説明したが、アナログ放送が受信・再生できないコンテンツ再生装置にも本発明を適用することができる。
【００５２】
また、上述した実施形態において、ステップＳ５０及びステップＳ６０の処理を廃止するようにしてもよい。
【００５３】
また、ステップＳ２０において、インターネット１００を経由して取得可能なコンテンツについては、アクセスしたコンテンツのデータを信号処理して得られる圧縮ビデオ信号、圧縮オーディオ信号とともに多重されている制御データに含まれているコンテンツタイトル情報からコンテンツタイトル情報を取得するようにしてもよい。
【００５４】
また、ステップＳ４０において、インターネット１００を経由して取得可能なコンテンツについては、アクセスしたコンテンツのデータを信号処理して得られる圧縮ビデオ信号、圧縮オーディオ信号とともに多重されている制御データに含まれている解像度情報から解像度情報を取得するようにしてもよい。
【符号の説明】
【００５５】
１  テレビ放送波入力端子
２  チューナ
３  復調回路
４  オーディオデコーダ
５  ビデオデコーダ
６  Ethernet（登録商標）入力端子
７  ＰＨＹ回路
８  ＭＡＣ回路
９  ビデオデコーダ
１０  オーディオデコーダ
１１  スイッチ
１２  ビデオ後処理回路
１３  ＯＳＤ回路
１４  ディスプレイ
１５  スイッチ
１６  オーディオ後処理回路
１７  オーディオアンプ
１８、１９  スピーカ
２０  ＣＰＵ
１００  インターネット
【図１】
2011087033.tif 000003
【図２】
2011087033.tif 000004